(57)【要約】【課題】確実に連結でき、離脱を容易におこなうことができるブレスレット、ネックレス、時計バンド、バッグ、ボタン、ベルトのバックル等の装身具用の連結具を提供する。【解決手段】Ｌ字型断面を有する連結具本体９と係止部材８が、それぞれの段差を有する面同士が係合する連結具において、それぞれの対向面に係合手段である凹部１１と凸部１０を設け、使用時の引張り力が働くＸ軸方向でのスライド移動を阻止する。その係合保持には連結具本体９の段差の垂直面１５に使用時の引張り力が働くＸ軸方向と同方向で、かつ係合部の組合せにおいて使用時の引張り力が働くＸ軸方向に反発力が作用する弾発部材１２の先端を突出させ、係止部材８の先端面１４に設けた係止部１３とその弾発部材１２の突出部が係合する構造とする。【選択図】図１
0003122408.tif 000002
【実用新案登録請求の範囲】
【請求項１】
Ｌ字型断面を有する連結具本体と係止部材が、それぞれの段差を有する面どうしが係合する連結具において、それぞれの対向面に係合手段である凹部と凸部を設け、使用時の引張り力が働く方向でのスライド移動を阻止する。その係合保持には連結具本体の段差の垂直面に使用時の引張り力が働く方向と同方向で、かつ係合部の組合せにおいて使用時の引張り力が働く方向に反発力が作用する弾発部材の先端を突出させ、対向する係止部材の先端面に設けた係止部とその弾発部材の突出部が係合する構造を有する連結具。
【請求項２】
前記請求項１の連結構造において、凹部と凸部の組合せの向き及び組合せの数及び形状を任意に選択できる連結具。
【請求項３】
前記請求項１及び２の連結構造において、弾発部材を取り付け係止部とかみ合う構造の組合せの向き及び組合せの数及び形状を任意に選択できる連結具。
【請求項４】
前記請求項１、２及び３の連結構造において、マグネットを含む他の連結構造との組合せを選択できる連結具。
【請求項５】
前記請求項１、２、３及び４に記載の連結具を具備したブレスレット、ネックレス、時計バンド、バッグ、ボタン、バンドのバックル等の装身具
【考案の詳細な説明】
【技術分野】
【０００１】本考案はブレスレット、ネックレス、時計バンド、バッグ、ボタン、バンドのバックル等の装身具に用いる連結具に関するものである。
【背景技術】
【０００２】従来の装身具用の連結具について図６を参照して説明する。Ｘ、Ｙ、Ｚ座標は従来の技術を説明するために用いる。Ｌ字型断面を有する連結具本体と係止部材が、それぞれの段差を有する面どうしが係合する連結具において、それぞれの対向面に係合手段である凹部と凸部を設け、連結具使用時の引張り力が働くＸ軸方向の移動の阻止を連結具本体２の凹部４と係止部材１の凸部３の係合で行い、その凹部４と凸部３の係合保持には、連結具本体２と係止部材１にそれぞれ対極関係に固定したマグネット６及びマグネット５によりＺ軸方向の磁力で着脱可能に連結されていた。（例えば特許文献１及び特許文献２参照）【０００３】この特許文献１では水平方向（使用時の引張り力が働く方向）のスライド移動が凹凸部の係合により阻止されており、凹部と凸部の係合保持には磁石の磁力のみを用いて着脱可能に連結される。【０００４】この特許文献２では一対のアーム先端に連接された基部に少なくとも１組の凹凸部からなる係合手段により水平方向と回転方向の移動が阻止されており、基部は対極関係にある磁石を有し磁石の磁力のみにより着脱可能に連結される。【０００５】
【特許文献１】特開２００２−１９１４１０号公報（段落０００４〜０００５、図１、図２）
【０００６】
【特許文献２】特開２００２−１９９９０８号公報（段落０００４〜０００５、図１、図２）
【考案の開示】
【考案が解決しようとする課題】
【０００７】本考案は確実に連結でき、離脱を容易におこなうことができる装身具用の連結具を提供することを目的とする。
【課題を解決するための手段】
【０００８】本考案による連結具について図１を参照して説明する。Ｘ，Ｙ，Ｚ座標は本考案を説明する為に用いる。Ｌ字型断面を有する連結具本体９と係止部材８が、それぞれの段差を有する面どうしが係合する対向面に係合手段である凹部１１及び凸部１０を設け、使用時の引張り力が働くＸ軸方向でのスライド移動を阻止する。その係合保持には連結具本体９の段差の垂直面１５に使用時の引張り力が働くＸ軸方向と同方向で、かつ係合部の組合せにおいて使用時の引張り力が働くＸ軸方向に反発力が作用する弾発部材１２の先端を突出させ、係止部材８の先端面１４に設けた係止部１３とその弾発部材１２の突出部が係合する構造を有することを特徴とする。【０００９】連結具本体９の凹部１１と係止部材８の凸部１０の嵌め合い部と連結具本体９に設けた弾発部材１２の先端突出部までの距離を規制することにより、弾発部材１２の反発力を確保し、係止部材８と連結具本体９を連結する。【００１０】連結具本体９の凹部１１と係止部材８の凸部１０の嵌め合い隙間を規制することで、弾発部材１２の反発力により凸部１０の突起に曲げ応力が作用し、係止部材８と連結具本体９の保持力を確保するとともに、連結部での曲げ方向の応力に対して外れなくする。
【考案の効果】
【００１１】本考案によるブレスレット、ネックレス、時計バンド、バッグ、バンドのバックル等の装身具用の連結具は、従来のマグネットによる連結方法と同等以上の保持力で連結する事が可能であり、かつ離脱を容易におこなうことができる。【００１２】本考案によるマグネットを使用しない装身具着用の上での磁気カード等の携帯時において、マグネットの磁気によるそのカードの磁気情報の消滅および欠損等の危険性が回避される。さらにマグネットの挿入穴加工及びマグネットの接着工程が不要となる。【００１３】本考案によるマグネットを使用しない装身具は、マグネット接着部の劣化により、マグネットが剥がれる事が無く構造の信頼性があると共にマグネットの磁力による鉄粉等の汚れがつかない。【００１４】マグネットの磁力の悪影響を考慮する必要のない使用環境においては、マグネットを含む他の連結構造との組合せにより、より強固な保持力を得られる。
【考案を実施するための最良の形態】
【００１５】
【００１６】本考案にかかる連結具の第１実施形態を図１〜図３を参照して説明する。Ｘ，Ｙ，Ｚ座標は本考案を説明する為に用いる。
Ｌ字型断面を有する連結具本体９及び係止部材８はそれぞれ凹部１１と凸部１０からなる係合部を少なくとも１組具備し、例えばブレスレットの場合、その係止部材８の先端面１４の反対面にブレスレットの端面を接合し、ブレスレットの他端を連結具本体９の先端面１６の反対面に接合する。この後ブレスレットに接合された係止部材８及び連結具本体９を凸部１０と凹部１１が重なるよう近接させ、かみ合わせながら押し込むことにより、弾発部材であるボールプランジャー１２の先端部がスプリングの働きで係止部１３に押し込まれ連結される。これによりブレスレットの環状形状が形成し装身具の機能が完結する。【００１７】係合手段である凹部１１及び凸部１０の組合せは１組でもよいが１組の場合、連結時においてその係合部１１及び１０の軸線を中心として回転方向に可動するので、連結具本体９の先端面１６とその面と対向する係止部材８の面１７との間隙、あるいは係止部材８の先端面１４とその面と対向する連結具本体９の面１５との間隙をも含めて極小とすることで回転方向の移動を阻止する事が可能である。【００１８】前記係合手段である凹部１１及び凸部１０の組合せが１組の場合において、凹部１１及び凸部１０の平面形状を異形とすることで回転方向の移動を阻止しても良い。またその形状は図示の加工面上で閉鎖形状とする必要はなく、図示の加工面からはみ出しても良い。【００１９】図４は本考案の第２実施形態を示している平面図である。第２実施形態は基本的に第１実施形態と同じ構成であるので、同じ構成については第１実施形態と同じ符号を付して、その構成及び作用の説明を省略し、異なる構成について説明する。【００２０】第２実施形態では、係合手段である凹部１１及び凸部１０の組合せが１組の場合の連結時において、その係合部１１及び１０の軸線を中心として回転方向に可動するので、係止部材８の先端面１４と対向する連結具本体９の面１５の接触面を平面以外の形状とし、回転方向の移動を阻止した実施例である。【００２１】図５は本考案の第３実施形態を示している平面図である。第３実施形態は基本的に第２実施形態と同じ構成であるので、同じ構成については第２実施形態と同じ符号を付して、その構成及び作用の説明を省略し、異なる構成について説明する。【００２２】第３実施形態では係合手段である凹部１１及び凸部１０の組合せが１組の場合の連結時において、その係合部１１及び１０の軸線を中心として回転方向に可動するので、係止部材８の先端面１４と対向する連結具本体９の面１５の接触面の平面形状及び連結具本体９の先端面１６と対向する係止部材８の面１７の接触面の平面形状をその係合部の軸線と同心円とすることで、回転方向の移動を利用可能とする実施例である。
【図面の簡単な説明】
【図１】本考案による弾発部材を取り付けて実施した連結構造例を示す斜視説明図である。
【図２】図１におけるＡ−Ａ断面図である。
【図３】本考案で使用した弾発部材であるボールプランジャー、もしくは同等の働きをする機能品例の拡大模式断面図である。
【図４】本考案の第２実施形態に係る連結部を示す平面図である。
【図５】本考案の第３実施形態に係る連結部を示す平面図である。
【図６】従来技術によるマグネット使用例の連結構造を示す斜視説明図である。
【符号の説明】
１・・・係止部材
２・・・連結具本体
３・・・凸部
４・・・凹部
５・・・マグネット
６・・・マグネット
８・・・係止部材
９・・・連結具本体
１０・・凸部
１１・・凹部
１２・・弾発部材であるボールプランジャー及び同等機能品例
１３・・係止部
１４・・先端面
１５・・面
１６・・先端面
１７・・面
【図１】
0003122408.tif 000003
【図２】
0003122408.tif 000004
【図３】
0003122408.tif 000005
【図４】
0003122408.tif 000006
【図５】
0003122408.tif 000007
【図６】
0003122408.tif 000008
【手続補正書】
【提出日】平成18年3月6日(2006.3.6)
【手続補正１】
【補正対象書類名】実用新案登録請求の範囲
【補正対象項目名】全文
【補正方法】変更
【補正の内容】
【実用新案登録請求の範囲】
【請求項１】
Ｌ字型断面を有する連結具本体と係止部材が、それぞれの段差を有する面どうしが係合する連結具において、それぞれの対向面に係合手段である凹部と凸部を設け、使用時の引張り力が働く方向でのスライド移動を阻止するものであって、連結具本体と係止部材の係合保持には連結具本体の段差の垂直面に使用時の引張り力が働く方向と同方向で、かつ係合部の組合せにおいて使用時の引張り力が働く方向に反発力が作用する弾発部材の先端を突出させ、対向する係止部材の先端面に設けた係止部とその弾発部材の突出部が係合する構造を有する連結具。
【請求項２】
請求項１記載の連結構造において、凹部と凸部の組合せの向き及び組合せの数及び形状を任意に選択できる連結具。
【請求項３】
請求項１または２記載の連結構造において、弾発部材を取り付け係止部とかみ合う構造の組合せの向き及び組合せの数及び形状を任意に選択できる連結具。
【請求項４】
請求項１〜３のいずれか１項に記載の連結構造において、マグネットを含む他の連結構造との組合せを選択できる連結具。
【請求項５】
請求項１〜４のいずれか１項に記載の連結具を具備したブレスレット、ネックレス、時計バンド、バッグ、ボタン、バンドのバックル等の装身具。